(57)【要約】【課題】指紋識別及びタッチボタンを一体化することで、端末装置の美的外観をより良くし、カバーガラスの構造強度とユーザ操作の利便性を改善する。【解決手段】本開示は、タッチボタン及び指紋識別の実現方法並びに実現装置、並びに端末装置に関し、指紋識別及びタッチボタンの両方を一体化することによって、端末装置全体の美的外観をより良くし、カバーガラスの構造強度及びユーザの操作性を改善する。実現装置は、端末装置のカバーガラスの下に配置されている指紋識別センサと、カバーガラスの下に配置され、指紋識別センサの少なくとも一つの側に設置されている静電容量式ボタンセンサと、を含む。本開示の実施形態における技術的な解決手段は、指紋識別及びタッチボタンの一体化を実現し、端末装置の美的外観をより良くし、カバーガラスの構造強度及びユーザの操作性を改善する。【選択図】図２
2017506404.tif 000002
【特許請求の範囲】
【請求項１】
端末装置のカバーガラスの下に配置されている指紋識別センサと、
前記カバーガラスの下に配置され、前記指紋識別センサの少なくとも一つの側に設置されている静電容量式ボタンセンサと、
を含むタッチボタン及び指紋識別の実現装置。
【請求項２】
前記指紋識別センサ及び前記静電容量式ボタンセンサの両方が、前記カバーガラスのプリセットタッチエリアの下に設置されている請求項１に記載のタッチボタン及び指紋識別の実現装置。
【請求項３】
前記静電容量式ボタンセンサは、前記指紋識別センサの一つ又は複数の側に設置されている、又は、前記静電容量式ボタンセンサは、前記指紋識別センサを囲んでいる請求項１に記載のタッチボタン及び指紋識別の実現装置。
【請求項４】
請求項１から請求項３のいずれか１項に記載のタッチボタン及び指紋識別の実現装置を含む端末装置。
【請求項５】
カバーガラスのプリセットタッチエリア上で行われるタッチ操作を受け付けるステップと、
前記プリセットタッチエリアに加えられる指紋情報を収集する、及び／又は、前記カバーガラス上で作られる静電容量を収集し、静電容量変化量を得るために前記静電容量を解析するステップと、
を含むタッチボタン及び指紋識別の実現方法。
【請求項６】
前記プリセットタッチエリアに加えられる前記指紋情報を収集する、及び／又は、前記カバーガラス上で作られる前記静電容量を収集し、前記静電容量変化量を得るために前記静電容量を解析するステップは、
上位アプリケーションが指紋情報収集命令を送信すると、前記プリセットタッチエリアに加えられる前記指紋情報を収集するステップと、
前記上位アプリケーションがボタン情報収集命令を送信すると、前記カバーガラス上で作られる前記静電容量を収集し、前記静電容量変化量を得るために前記静電容量を解析するステップと、
前記上位アプリケーションが前記指紋情報収集命令及び前記ボタン情報収集命令を送信すると、前記プリセットタッチエリアに加えられる前記指紋情報を収集し、前記カバーガラス上で作られる前記静電容量を収集し、前記静電容量変化量を得るために前記静電容量を解析するステップと、
を含む請求項５に記載のタッチボタン及び指紋識別の実現方法。
【請求項７】
プロセッサと、
前記プロセッサによって実行される命令を記憶するメモリと、
を備え、
前記プロセッサは、
カバーガラスのプリセットタッチエリア上で行われるタッチ操作を受け付け、
前記プリセットタッチエリアに加えられる指紋情報を収集する、及び／又は、前記カバーガラス上で作られる静電容量を収集し、静電容量変化量を得るために前記静電容量を解析する
ように構成されるタッチボタン及び指紋識別の実現装置。
【発明の詳細な説明】
【技術分野】
【０００１】
本出願は、２０１５年１月３０日に中国国家知識産権局に提出された出願番号２０１５１００５０７６１．２の中国特許出願、及び２０１５年１月７日に中国国家知識産権局に提出された出願番号２０１５１０００８２４３．４の中国特許出願に基づき優先権を主張し、これらの中国特許出願の全ての内容を援用する。
【０００２】
本発明は、端末装置の構造設計の分野に関し、特に、タッチボタン及び指紋識別の実現方法並びに実現装置、並びに端末装置に関する。
【背景技術】
【０００３】
端末装置の機能が増えるにつれて、端末装置の益々多くの新しい機能がユーザに更なる利便性をもたらしている。
【０００４】
現在、指紋識別機能は、主要な端末装置メーカーの支持を得ている。指紋識別機能の設計に関して、現在の端末装置（例えば、携帯電話やタブレットコンピュータ等）は、図１に示す断面図のように、ボタンを指紋識別に対応させる目的を達成するために、基本的には物理的なボタンと指紋識別機能を組み合わせている。通常、この設計を採用する場合、物理的なボタン０２は、押圧の実施を可能にするために、押圧される時に固定的なストロークが必要であるため、カバーガラス０１の指紋識別エリアには、対応する孔が必要となる。ユーザが優しく指紋識別センサ０３をタッチすると、システムは、この動作を指紋識別動作として認識するだけであろう。ユーザが指紋識別センサ０３を押圧し、あるストロークまで到達すると、物理的なボタン０２がトリガとなり、システムはこの動作を指紋識別動作とタッチボタン動作の両方として認識し、上位層の要求に応じて、対応する動作が抽出されるであろう。しかしながら、前述の構造では、端末装置の美的外観に影響を及ぼすだけでなく、ユーザ操作の利便性にも影響を及ぼす。
【先行技術文献】
【特許文献】
【０００５】
【特許文献１】特開２０１４−２２８７３号公報
【発明の概要】
【発明が解決しようとする課題】
【０００６】
関連技術において存在する問題を解決するために、本開示の実施形態は、タッチボタン及び指紋識別の実現方法並びに実現装置、並びに端末装置を提供し、指紋識別及びタッチボタンを一体化することで、端末装置の美的外観をより良くし、カバーガラスの構造強度とユーザ操作の利便性を改善する。
【課題を解決するための手段】
【０００７】
本開示の実施形態の第１の観点によれば、端末装置のカバーガラスの下に配置されている指紋識別センサと、前記カバーガラスの下に配置され、前記指紋識別センサの少なくとも一つの側に設置されている静電容量式ボタンセンサと、を含むタッチボタン及び指紋識別の実現装置が提供される。
【０００８】
一つの実施形態では、前記指紋識別センサ及び前記静電容量式ボタンセンサの両方が、前記カバーガラスのプリセットタッチエリアの下に設置されている。
【０００９】
一つの実施形態では、前記静電容量式ボタンセンサは、前記指紋識別センサの一つ又は複数の側に設置されている、又は、前記静電容量式ボタンセンサは、前記指紋識別センサを囲んでいる。
【００１０】
本開示の実施形態の第２の観点によれば、前述のタッチボタン及び指紋識別の実現装置を含む端末装置が提供される。
【００１１】
本開示の実施形態の第３の観点によれば、カバーガラスのプリセットタッチエリア上で行われるタッチ操作を受け付けるステップと、前記プリセットタッチエリアに加えられる指紋情報を収集する、及び／又は、前記カバーガラス上で作られる静電容量を収集し、静電容量変化量を得るために前記静電容量を解析するステップと、を含むタッチボタン及び指紋識別の実現方法が提供される。
【００１２】
一つの実施形態では、前記プリセットタッチエリアに加えられる前記指紋情報を収集する、及び／又は、前記カバーガラス上で作られる前記静電容量を収集し、前記静電容量変化量を得るために前記静電容量を解析するステップは、上位アプリケーションが指紋情報収集命令を送信すると、前記プリセットタッチエリアに加えられる前記指紋情報を収集するステップと、前記上位アプリケーションがボタン情報収集命令を送信すると、前記カバーガラス上で作られる前記静電容量を収集し、前記静電容量変化量を得るために前記静電容量を解析するステップと、前記上位アプリケーションが前記指紋情報収集命令及び前記ボタン情報収集命令を送信すると、前記プリセットタッチエリアに加えられる前記指紋情報を収集し、前記カバーガラス上で作られる前記静電容量を収集し、前記静電容量変化量を得るために前記静電容量を解析するステップと、を含む。
【００１３】
本開示の実施形態の第４の観点によれば、プロセッサと、前記プロセッサによって実行される命令を記憶するメモリと、を備え、前記プロセッサは、カバーガラスのプリセットタッチエリア上で行われるタッチ操作を受け付け、前記プリセットタッチエリアに加えられる指紋情報を収集する、及び／又は、前記カバーガラス上で作られる静電容量を収集し、静電容量変化量を得るために前記静電容量を解析するように構成されるタッチボタン及び指紋識別の実現装置が提供される。
【発明の効果】
【００１４】
本開示の実施形態において提供される技術的な解決手段は、次の有利な効果を奏する。
【００１５】
前述の技術的な解決手段におけるタッチボタン及び指紋識別の実現装置では、実現装置の使用時、ユーザは、指によって任意の強さでカバーガラスのプリセットタッチエリアをタッチし、押圧するだけで良い。そうすると、タッチボタン情報及び指紋情報の両方が実現装置によって読み込まれるであろう。このように、現在のユーザの身分が識別される。加えて、両立性モードを実現するために、指紋識別及びタッチボタンの両方が一体化されることによって、端末装置の美的外観をより良くするだけでなく、カバーガラスの構造強度も改善する。更に、ユーザは、任意の強さでカバーガラス上の簡単なタッチ及び押圧操作だけを行えば良いので、ユーザの操作性が良くなる。
【００１６】
前述の一般的な説明及び後述する詳細な説明の両方とも典型的かつ説明的なものに過ぎず、本発明を限定するものではないと理解されるべきである。
【図面の簡単な説明】
【００１７】
この開示に取り入れられ、この開示の一部を構成する添付の図面は、本発明に合致する実施形態を例示し、詳細な説明とともに本発明の原理を説明するためのものである。
【００１８】
【図１】関連技術における端末装置のタッチボタンの構造を示す断面図である。
【図２】例示的な実施形態に係るタッチボタン及び指紋識別の実現装置の構造を示す断面図である。
【図３】例示的な実施形態に係るタッチボタン及び指紋識別の実現装置の構造を示す断面図である。
【図４】例示的な実施形態に係る他のタッチボタン及び指紋識別の実現装置の構造を示す断面図である。
【図５】例示的な実施形態に係る他のタッチボタン及び指紋識別の実現装置の構造を示す断面図である。
【図６】例示的な実施形態に係るタッチボタン及び指紋識別の実現方法を示すフローチャートである。
【図７】例示的な実施形態に係るタッチボタン及び指紋識別の実現方法におけるステップＳ６０２を示すフローチャートである。
【図８】例示的な実施形態に係るタッチボタン及び指紋識別の実現装置を示すブロック図である。
【発明を実施するための形態】
【００１９】
符号は、添付の図面に図示される典型的な実施形態や実施例に対して詳細に付与される。以下の詳細な説明で参照する添付の図面では、特に示さない限り、異なる図面において同じ番号は同じ要素又は類似の要素を意味する。以下の典型的な実施形態の詳細な説明において明らかにされる実装は、本発明の記載と合致する全ての実装を表すものではない。むしろ、それらは、添付の特許請求の範囲において列挙されるように、本発明の記載に関連する観点と一致する装置及び方法の単なる一例に過ぎない。
【００２０】
本開示の実施形態では、タッチボタン及び指紋識別の実現装置が提供される。図２に示すように、実現装置は、指紋識別センサ２１と、静電容量式ボタンセンサ２２と、を含む。
【００２１】
指紋識別センサ２１は、端末装置のカバーガラス２３の下に配置されている。
【００２２】
静電容量式ボタンセンサ２２は、カバーガラス２３の下に配置され、指紋識別センサ２１の少なくとも一つの側に設置されている。
【００２３】
一つの実施形態では、指紋識別センサ２１及び静電容量式ボタンセンサ２２は、カバーガラス２３のプリセットタッチエリアの下に設置されている。
【００２４】
一つの実施形態では、静電容量式ボタンセンサ２２は、指紋識別センサ２１の少なくとも一つの側に設置され、次のように実装されても良い。
【００２５】
静電容量式ボタンセンサ２２は、指紋識別センサ２１の一つ又は複数の側に設置されている。又は、静電容量式ボタンセンサ２２は、指紋識別センサ２１を囲んでいる。指紋識別及び静電容量式ボタンの一体化の効果を確実にし、ユーザの指がカバーガラスのプリセットタッチエリアをタッチし、押圧する時、プリセットタッチエリアの下の静電容量式ボタンセンサの少なくとも一つの側及び指紋識別センサの少なくとも一つの側の両方を覆うために、静電容量式ボタンセンサ及び指紋識別センサをコンパクトに配置することが必要である。図３、図４及び図５に示すように、静電容量式ボタンセンサは、指紋識別センサに接して配置され、指紋識別センサの２つまたはそれ以上の側に、又は指紋識別センサを囲んでいるように配置されている。図３及び図４において、静電容量式ボタンセンサ２２は、指紋識別センサ２１の複数の側に配置されている。図５において、静電容量式ボタンセンサ２２は、指紋識別センサ２１を囲んでいるように配置されている。それゆえ、指紋識別及び静電容量式ボタンの一体化の効果が確実になるであろう。
【００２６】
指紋識別センサ２１は、カバーガラス２３に加えられる指紋情報を収集するように構成される。静電容量式ボタンセンサ２２は、カバーガラス２３に加えられるボタン情報を収集するように構成される。静電容量式ボタンセンサ２２の動作原理は次の通りである。指が静電容量式ボタンセンサ２２の金属層に触れる時、人体の電界によって、ユーザとタッチスクリーンの表面の間にカップリング容量が作られる。高周波電流にとって、静電容量は直流導体であるから、指にはタッチ点から小さな電流が流れる。電流は、タッチスクリーンの四隅の電極からそれぞれ流れる。そして、これら四つの電極を通って流れる電流は、それぞれ指から四隅までの距離に比例する。コントローラは、正確に四隅の比率を計算し、タッチ点の位置を取得する。
【００２７】
前述の端末装置の動作原理は、次のように説明される。
【００２８】
ユーザが指でカバーガラス２３のプリセットタッチエリアをタッチし、押圧する時、指紋識別センサ２１は、カバーガラス２３の表面に加えられる指紋情報を収集し、指紋識別回路に指紋情報を送信する。指紋識別回路は、指紋テクスチャ、指紋間隔や他の指紋特徴情報のような指紋解析結果を得るために、指紋識別センサ２１によって収集される指紋情報を解析し、処理する。一方、静電容量式ボタンセンサ２２は、カバーガラス２３の表面に加えられるボタン情報を収集し、静電容量式ボタン回路にボタン情報を送信する。静電容量式ボタン回路は、ボタンをタッチするというユーザ操作を得るために、静電容量式ボタンセンサ２２によって収集されるボタン情報を解析し、処理する。その後、ホストのプロセッサは、ボタンをタッチするという操作及び指紋解析結果に応じて身分の認証を実行する。例えば、指紋識別回路によって得られる指紋解析結果は、現在のユーザの身分を決定するために、予め記憶される指紋データと比較される。
【００２９】
端末装置も、本開示の実施形態によって提供される。端末装置は、前述のタッチボタン及び指紋識別の実現装置を含む。
【００３０】
要約すると、本開示の実施形態におけるタッチボタン及び指紋識別の実現装置では、実現装置の使用時、ユーザは、指によって任意の強さでカバーガラスのプリセットタッチエリアをタッチし、押圧するだけで良い。そうすると、タッチボタン情報及び指紋情報の両方が実現装置によって読み込まれるであろう。このように、現在のユーザの身分が識別される。加えて、両立性モードを実現するために、指紋識別及びタッチボタンの両方が一体化されることによって、端末装置の美的外観をより良くするだけでなく、カバーガラスの構造強度も改善する。更に、ユーザは、任意の強さでカバーガラス上の簡単なタッチ及び押圧操作だけを行えば良いので、ユーザの操作性が良くなる。
【００３１】
図６は、例示的な実施形態に係るタッチボタン及び指紋識別の実現方法を示すフローチャートである。その実現方法は、指紋識別機能を持つ端末に適用される。図６に示すように、実現方法は、次のステップＳ６０１〜Ｓ６０２を含む。
【００３２】
ステップＳ６０１では、カバーガラスのプリセットタッチエリア上で行われるタッチ操作が受け付けられる。
【００３３】
図２に示される指紋識別センサ２１及び静電容量式ボタンセンサ２２は、プリセットエリアの下に配置されている。
【００３４】
ステップＳ６０２では、プリセットタッチエリアに加えられる指紋情報が収集される、及び／又は、カバーガラス上で作られる静電容量が収集され、その静電容量は、静電容量変化量を得るために解析される。
【００３５】
静電容量変化量を得た後、ボタン情報は静電容量変化量に応じて得られても良い。
【００３６】
要約すると、本開示の実施形態におけるタッチボタン及び指紋識別の実現方法では、端末装置の使用時、ユーザは、指によって任意の強さでカバーガラスのプリセットタッチエリアをタッチし、押圧するだけで良い。そうすると、タッチボタン情報及び指紋情報の両方が読み込まれるであろう。このように、現在のユーザの身分が識別される。加えて、両立性モードを実現するために、指紋識別及びタッチボタンの両方が一体化されることによって、端末装置の美的外観をより良くするだけでなく、カバーガラスの構造強度も改善する。更に、ユーザは、任意の強さでカバーガラス上の簡単なタッチ及び押圧操作だけを行えば良いので、ユーザの操作性が良くなる。
【００３７】
一つの実施形態では、図７に示すように、ステップＳ６０２は、ステップＳ７０１〜Ｓ７０３によって実装されても良い。
【００３８】
ステップＳ７０１では、上位アプリケーションが指紋情報収集命令を送信すると、プリセットタッチエリアに加えられる指紋情報が収集される。
【００３９】
ステップＳ７０２では、上位アプリケーションがボタン情報収集命令を送信すると、カバーガラス上で作られる静電容量が収集され、その静電容量は、静電容量変化量を得るために解析される。
【００４０】
ステップＳ７０３では、上位アプリケーションが指紋情報収集命令及びボタン情報収集命令を送信すると、プリセットタッチエリアに加えられる指紋情報が収集され、カバーガラス上で作られる静電容量が収集され、その静電容量は、静電容量変化量を得るために解析される。
【００４１】
前述の実現方法では、ユーザがプリセットタッチエリアをタッチする時、上位アプリケーションの実際の要求における収集命令に応じて、お互いに干渉することなく、指紋情報が収集され、ボタン情報が読み込まれるであろう。
【００４２】
図８は、例示的な実施形態に係るタッチボタン及び指紋識別の実現装置１２００を示すブロック図である。この実現装置１２００は、端末装置に適している。例えば、実現装置１２００は、携帯電話、コンピュータ、デジタル放送端末、メッセージング装置、ゲームコンソール、タブレット、医療機器、トレーニングマシーン、携帯情報端末等である。
【００４３】
図８を参照すると、実現装置１２００は、以下の１つ又はより多くの構成要素を含んでも良い。それらの構成要素は、処理部１２０２、メモリ１２０４、電源部１２０６、マルチメディア部１２０８、オーディオ部１２１０、入出力（Ｉ／Ｏ）インタフェース部１２１２、センサ部１２１４、及び通信部１２１６である。
【００４４】
処理部１２０２は、一般的に、表示、電話呼出し、データ通信、カメラ操作及び記録動作と関連する動作のような実現装置１２００全体の動作を制御する。処理部１２０２は、前述した実現方法における全て又は一部のステップを行うための命令を実行するために、１つ又はより多くのプロセッサ１２２０を含んでも良い。更に、処理部１２０２は、処理部１２０２と他の構成要素との間のインタフェースを容易にするための１つ又はより多くのモジュールを含んでも良い。例えば、処理部１２０２は、マルチメディア部１２０８と処理部１２０２との間のインタフェースを容易にするためのマルチメディアモジュールを含んでも良い。
【００４５】
メモリ１２０４は、実現装置１２００の動作を支援するための様々な種類のデータを記憶するように構成される。そのようなデータの例は、実現装置１２００において動作される任意のアプリケーションまたは方法のための命令、連絡先データ、電話帳データ、メッセージ、写真、ビデオ等を含む。メモリ１２０４は、スタティックランダムアクセスメモリ（ＳＲＡＭ）、電気的に消去可能なプログラマブル読出専用メモリ（ＥＥＰＲＯＭ）、プログラマブル読出専用メモリ（ＰＲＯＭ）、読出専用メモリ（ＲＯＭ）、磁気メモリ、フラッシュメモリ、磁気又は光学ディスクのように、揮発性記憶装置或いは不揮発性記憶装置、又はそれらの組合せの任意の種類を用いて実装されても良い。
【００４６】
電源部１２０６は、実現装置１２００の様々な構成要素に電力を供給するように構成される。電源部１２０６は、電源管理システム、１つ又はより多くの電源、並びに実現装置１２００において電力の生成、制御及び配電と関連する他の構成要素を含んでも良い。
【００４７】
マルチメディア部１２０８は、実現装置１２００とユーザとの間の外部インタフェースを提供するように構成される画面を含む。いくつかの実施形態では、画面は、液晶ディスプレイ（ＬＣＤ）及びタッチパネル（ＴＰ）を含んでも良い。画面がタッチパネルを含む場合、その画面はユーザから入力信号を受信するタッチ画面として実装されても良い。タッチパネルは、タッチパネル上のタッチ、スワイプ及びジェスチャーを検出するための１つ又はより多くのタッチセンサを含む。タッチセンサは、タッチ又はスワイプ操作の境界を検出するだけでなく、タッチ又はスワイプ操作と関連する期間及び圧力も検出する。いくつかの実施形態では、マルチメディア部１２０８は、正面のカメラ及び／又は背面のカメラを含む。正面のカメラ及び背面のカメラは、実現装置１２００が写真撮影モード又はビデオモードのような動作モードの時、外部のマルチメディアデータを受信するようにしても良い。正面のカメラ及び背面のカメラのそれぞれが、固定焦点レンズシステムでも良いし、又はフォーカス及び光学ズーム性能を有しても良い。
【００４８】
オーディオ部１２１０は、オーディオ（音声・音響）信号を出力する、及び／又は入力するように構成される。例えば、オーディオ部１２１０は、実現装置１２００が電話モード、記録モード及び音声認識モードのような動作モードの時、外部オーディオ信号を受信するように構成されるマイクロフォン（「ＭＩＣ」）を含む。受信されるオーディオ信号は、更にメモリ１２０４に記憶されても良いし、又は通信部１２１６を介して送信されるようにしても良い。いくつかの実施形態では、オーディオ部１２１０は、更にオーディオ信号を出力するためのラウドスピーカを含む。
【００４９】
Ｉ／Ｏインタフェース部１２１２は、キーボード、クリックホイール、ボタン等のような処理部１２０２及び周辺装置インタフェースモジュールとの間のインタフェースを提供するように構成される。ボタンは、これらに限定されるわけではないが、ホームボタン、ボリュームボタン、スタートボタン及びロックボタンを含んでも良い。
【００５０】
センサ部１２１４は、実現装置１２００の様々な面の状態評価を提供するための１つ又はより多くのセンサを含む。例えば、センサ部１２１４は、実現装置１２００のオン／オフ状態、構成要素（例えば、実現装置１２００のディスプレイ画面及びキーパッド）の相対位置を検出しても良い。更に、センサ部１２１４は、実現装置１２００又は実現装置１２００の構成要素の位置の変化、実現装置１２００に対するユーザ接触の存在又は不存在、実現装置１２００の方向又は加速／減速、及び実現装置１２００の温度の変化を検出しても良い。センサ部１２１４は、物理的な接触なしに近傍の物体の存在を検出するように構成される主要なセンサを含んでも良い。また、センサ部１２１４は、画像アプリケーションの用途のために、ＣＭＯＳ又はＣＣＤ画像センサのような光センサを含んでも良い。また、いくつかの実施形態では、センサ部１２１４は、加速度センサ、ジャイロセンサ、磁気センサ、圧力センサ、又は温度センサを含んでも良い。
【００５１】
通信部１２１６は、実現装置１２００と他の端末との間の有線又は無線の通信を容易にするように構成される。実現装置１２００は、ＷｉＦｉ、２Ｇ或いは３Ｇ、又はそれらの組合せのような通信規格に基づく無線ネットワークにアクセスすることができる。ある例示的な実施形態では、通信部１２１６は、放送チャネルを介する外部放送制御システムからの放送信号又は放送関連情報を受信する。ある例示的な実施形態では、通信部１２１６は、更に短距離の通信を容易にするための近距離無線通信（ＮＦＣ）モジュールを含む。例えば、ＮＦＣモジュールは、無線ＩＤ（ＲＦＩＤ）技術、赤外線通信規格（ＩｒＤＡ）技術、超広域無線(ＵＷＢ)技術、Bluetooth(登録商標)（ＢＴ）技術、又はその他の技術に基づいて実装されても良い。
【００５２】
例示的な実施形態では、実現装置１２００は、前述の実現方法を行うために、特定用途向け集積回路（ＡＳＩＣｓ）、デジタルシグナルプロセッサ（ＤＳＰｓ）、デジタルシグナルプロセッシングデバイス（ＤＳＰＤｓ）、プログラマブルロジックデバイス（ＰＬＤｓ）、フィールドプログラマブルゲートアレイ（ＦＰＧＡｓ）、コントローラ、マイクロコントローラ、マイクロプロセッサ、又はそのほかの電子部品のような１つ又はより多くの電子的要素によって実装されても良い。
【００５３】
例示的な実施形態では、前述の実現方法を行うために、実現装置１２００の中のメモリ１２０４に含まれ、プロセッサ１２２０によって実行される命令を含む非一時的なコンピュータ読み取り可能な記憶媒体も提供される。例えば、非一時的なコンピュータ読み取り可能な記憶媒体は、ＲＯＭ、ＲＡＭ、ＣＤ−ＲＯＭ、磁気テープ、フロッピー（登録商標）ディスク、光学データ記憶装置等であっても良い。
【００５４】
タッチボタン及び指紋識別の実現装置は、プロセッサと、前記プロセッサによって実行される命令を記憶するメモリと、を備え、前記プロセッサは、カバーガラスのプリセットタッチエリア上で行われるタッチ操作を受け付け、前記プリセットタッチエリアに加えられる指紋情報を収集する、及び／又は、前記カバーガラス上で作られる静電容量を収集し、静電容量変化量を得るために前記静電容量を解析するように構成される。
【００５５】
前記プロセッサは、更に、上位アプリケーションが指紋情報収集命令を送信すると、前記プリセットタッチエリアに加えられる前記指紋情報を収集し、前記上位アプリケーションがボタン情報収集命令を送信すると、前記カバーガラス上で作られる前記静電容量を収集し、前記静電容量変化量を得るために前記静電容量を解析し、前記上位アプリケーションが前記指紋情報収集命令及び前記ボタン情報収集命令を送信すると、前記プリセットタッチエリアに加えられる前記指紋情報を収集し、前記カバーガラス上で作られる前記静電容量を収集し、静電容量変化量を得るために前記静電容量を解析するように構成される。
【００５６】
非一時的なコンピュータ読み取り可能な記憶媒体は、携帯端末のプロセッサによって実行される時、カバーガラスのプリセットタッチエリア上で行われるタッチ操作を受け付けるステップと、前記プリセットタッチエリアに加えられる指紋情報を収集する、及び／又は、前記カバーガラス上で作られる静電容量を収集し、静電容量変化量を得るために前記静電容量を解析するステップと、を含むタッチボタン及び指紋識別の実現方法を前記携帯端末に実行させる。
【００５７】
前記プリセットタッチエリアに加えられる前記指紋情報を収集する、及び／又は、前記カバーガラス上で作られる前記静電容量を収集し、前記静電容量変化量を得るために前記静電容量を解析するステップは、上位アプリケーションが指紋情報収集命令を送信すると、前記プリセットタッチエリアに加えられる前記指紋情報を収集するステップと、前記上位アプリケーションがボタン情報収集命令を送信すると、前記カバーガラス上で作られる前記静電容量を収集し、前記静電容量変化量を得るために前記静電容量を解析するステップと、前記上位アプリケーションが前記指紋情報収集命令及び前記ボタン情報収集命令を送信すると、前記プリセットタッチエリアに加えられる前記指紋情報を収集し、前記カバーガラス上で作られる前記静電容量を収集し、前記静電容量変化量を得るために前記静電容量を解析するステップと、を含む。
【００５８】
本発明の他の実施形態は、明細書の留意事項及びここで開示される発明のプラクティスから当業者によって明らかにされるであろう。この出願は、本発明から出発し、この分野における公知又は周知のプラクティスの範囲内で想到する一般的な原理及び構成に従う本発明の任意の変更、利用、又は改良が含まれる。明細書及び実施例は、後述する請求項によって示される本発明の真の範囲及び意味において、単なる例としてのみ考慮される。
【００５９】
本発明の正確な解釈は、前述の説明及び添付図面の例、並びにその範囲から出発せずになされる様々な修正及び変更に制限されないと解釈して頂ければ幸いである。本発明の範囲は、添付の請求項によってのみ限定されることを意図している。
【符号の説明】
【００６０】
０１・・・・・カバーガラス
０２・・・・・物理的なボタン
０３・・・・・指紋識別センサ
２１・・・・・指紋識別回路
２２・・・・・静電容量式ボタン回路
２３・・・・・カバーガラス
【図１】
2017506404.tif 000003
【図２】
2017506404.tif 000004
【図３】
2017506404.tif 000005
【図４】
2017506404.tif 000006
【図５】
2017506404.tif 000007
【図６】
2017506404.tif 000008
【図７】
2017506404.tif 000009
【図８】
2017506404.tif 000010
【手続補正書】
【提出日】平成28年2月19日(2016.2.19)
【手続補正２】
【補正対象書類名】特許請求の範囲
【補正対象項目名】全文
【補正方法】変更
【補正の内容】
【特許請求の範囲】
【請求項１】
端末装置のカバーガラスの下に配置されている指紋識別センサと、
前記カバーガラスの下に配置され、前記指紋識別センサの少なくとも一つの側に設置されている静電容量式ボタンセンサと、
を含むタッチボタン及び指紋識別の実現装置。
【請求項２】
前記指紋識別センサ及び前記静電容量式ボタンセンサの両方が、前記カバーガラスのプリセットタッチエリアの下に設置されている請求項１に記載のタッチボタン及び指紋識別の実現装置。
【請求項３】
前記静電容量式ボタンセンサは、前記指紋識別センサの一つ又は複数の側に設置されている、又は、前記静電容量式ボタンセンサは、前記指紋識別センサを囲んでいる請求項１又は請求項２に記載のタッチボタン及び指紋識別の実現装置。
【請求項４】
請求項１から請求項３のいずれか１項に記載のタッチボタン及び指紋識別の実現装置を含む端末装置。
【請求項５】
カバーガラスのプリセットタッチエリア上で行われるタッチ操作を受け付けるステップと、
前記プリセットタッチエリアに加えられる指紋情報を収集する、及び／又は、前記カバーガラス上で作られる静電容量を収集し、静電容量変化量を得るために前記静電容量を解析するステップと、
を含むタッチボタン及び指紋識別の実現方法。
【請求項６】
前記プリセットタッチエリアに加えられる前記指紋情報を収集する、及び／又は、前記カバーガラス上で作られる前記静電容量を収集し、前記静電容量変化量を得るために前記静電容量を解析するステップは、
上位アプリケーションが指紋情報収集命令を送信すると、前記プリセットタッチエリアに加えられる前記指紋情報を収集するステップと、
前記上位アプリケーションがボタン情報収集命令を送信すると、前記カバーガラス上で作られる前記静電容量を収集し、前記静電容量変化量を得るために前記静電容量を解析するステップと、
前記上位アプリケーションが前記指紋情報収集命令及び前記ボタン情報収集命令を送信すると、前記プリセットタッチエリアに加えられる前記指紋情報を収集し、前記カバーガラス上で作られる前記静電容量を収集し、前記静電容量変化量を得るために前記静電容量を解析するステップと、
を含む請求項５に記載のタッチボタン及び指紋識別の実現方法。
【請求項７】
コンピュータ上で動作する請求項５又は請求項６に記載のタッチボタン及び指紋識別の実現方法を前記コンピュータに実行させるためのコンピュータプログラム。
【請求項８】
請求項７に記載のコンピュータプログラムが記憶されるように構成されるコンピュータ読み取り可能な記憶媒体。
【手続補正３】
【補正対象書類名】明細書
【補正対象項目名】００１２
【補正方法】変更
【補正の内容】
【００１２】
本開示の実施形態の第４の観点によれば、コンピュータ上で動作する前述のタッチボタン及び指紋識別の実現方法を前記コンピュータに実行させるためのコンピュータプログラムが提供される。本開示の実施形態の第５の観点によれば、前述のコンピュータプログラムが記憶されるように構成されるコンピュータ読み取り可能な記憶媒体が提供される。
【国際調査報告】
2017506404.tif 000011
2017506404.tif 000012
2017506404.tif 000013
2017506404.tif 000014